(57)【要約】【課題】電気かみそりのグリップ部を構成する部品に不可避的に生じる寸法のバラツキを、できるだけ目立たない形で処理できるグリップ部構造を提供する。【解決手段】電気かみそり１は、モータ１１と二次電池１２を内蔵したグリップ部１０に、刃枠部２０を角度可変に取り付けている。グリップ部１０の外殻は、一方の端が上部開口３１、他方の端が底部開口３２となった筒形ケース３０と、上部開口３１に嵌合する上蓋３３と、底部開口３２に嵌合する底蓋３４と、筒形ケース３０外面に重ねられる化粧板４０、４１を含む。底蓋３４の端面には刃枠部２０側に向いた環状溝５４が形成され、筒形ケース３０と化粧板４０、４１の端面には、それぞれ環状溝５４に係合するリブ５５、５６、５７が形成されている。筒形ケース３０の縁と底蓋３４の縁の間隙６０と、化粧板４０、４１の縁と底蓋３４の縁の間隙６１は、互いに異なる幅に設定されている。【選択図】図６
2011024700.tif 000002
【特許請求の範囲】
【請求項１】
片手で握るグリップ部と、前記グリップ部の上端に取り付けられる刃枠部とを備える電気かみそりにおいて、
前記グリップ部の外殻は、一方の端が上部開口、他方の端が底部開口となった筒形ケースと、前記上部開口に嵌合する上蓋と、前記底部開口に嵌合する底蓋と、前記筒形ケース外面に重ねられる化粧板を含んで構成され、前記底蓋の端面には前記刃枠部側に向いた環状溝が形成され、前記筒形ケースと前記化粧板の端面には、それぞれ前記環状溝に係合するリブが形成されており、前記筒形ケースの縁と前記底蓋の縁の間隙と、前記化粧板の縁と前記底蓋の縁の間隙は、互いに異なる幅に設定されていることを特徴とする電気かみそり。
【請求項２】
前記化粧板の縁にアールが形成されていることを特徴とする請求項１に記載の電気かみそり。
【請求項３】
前記化粧板は、前記筒形ケースの外面に形成された軸線方向溝の中にはめ込まれるものであり、前記上蓋には、前記化粧板の上端が当たる位置決め部が形成されていることを特徴とする請求項１または２に記載の電気かみそり。
【請求項４】
前記刃枠部は前記グリップ部に対し前傾可能に取り付けられており、前記上蓋には、前記刃枠から正面側に露出する斜面部が形成されるとともに、この斜面部は、最大前傾時の前記刃枠部前面に対し所定の角度をなすことを特徴とする請求項１から３のいずれか１項に記載の電気かみそり。
【請求項５】
前記化粧板は、前記筒形ケースの外面に形成された軸線方向溝の中にはめ込まれるものであり、前記軸線方向溝の内部には定格表示用の台座が形成されており、前記化粧板には前記台座を露出させる窓が形成されていることを特徴とする請求項１または２に記載の電気かみそり。
【請求項６】
前記窓の縁が前記台座に被さることを特徴とする請求項５に記載の電気かみそり。
【請求項７】
前記台座に、前記筒形ケースの内部空間と外部空間を連通させる通気口が形成されていることを特徴とする請求項５または６に記載の電気かみそり。
【請求項８】
前記底蓋は、前記筒形ケース内で電池収容空間とそれ以外の空間を区画するインナーケースにねじ止めされるものであり、前記底蓋と前記インナーケースの間に挟み込まれるパッキンには、前記インナーケースに押し付けられるアキシャルシール部と、前記筒形ケース内面に押し付けられるラジアルシール部が形成されていることを特徴とする請求項１から７のいずれか１項に記載の電気かみそり。
【請求項９】
前記底蓋は、前記環状溝より内側に立ち上がり壁を有し、前記立ち上がり壁外面と前記筒形ケース内面の間には、前記筒形ケースの長手方向に延びる凹凸係合部が形成されていることを特徴とする請求項１から８のいずれか１項に記載の電気かみそり。
【発明の詳細な説明】
【技術分野】
【０００１】
本発明は電気かみそりに関する。
【背景技術】
【０００２】
電気かみそりは、片手で握るグリップ部と、このグリップ部の上端に取り付けられた刃枠部を備える構造であるのが一般的である。グリップ部の筒形ケースは、特許文献１に見られるように、二つ割りのハウジングを合わせて構成されることもあれば、特許文献２に見られるように、単一部品として構成されることもある。グリップ部の外面に、装飾用の化粧板を取り付ける構造とすることも多い。特許文献１も特許文献２もそのような構造を備えている。
【先行技術文献】
【特許文献】
【０００３】
【特許文献１】特開２００６−３３３９９８号公報（国際特許分類：Ｂ２６Ｂ１９／３８）
【特許文献１】特開平９−１９５７８号公報（国際特許分類：Ｂ２６Ｂ１９／２８）
【発明の概要】
【発明が解決しようとする課題】
【０００４】
電気かみそりのグリップ部は、その構成部品である筒形ケース、上蓋、底蓋、化粧板等を合成樹脂で成型するが、部品寸法のバラツキを皆無にすることはできない。部品の組み合わせによっては見る者に違和感を覚えさせる程度のバラツキになることもある。このようなバラツキは製品の美観を損ない、商品価値を低下させる。
【０００５】
本発明は上記の点に鑑みなされたものであり、電気かみそりのグリップ部を構成する部品に不可避的に生じる寸法のバラツキを、できるだけ目立たない形で処理できるグリップ部構造を提供することを目的とする。
【課題を解決するための手段】
【０００６】
上記目的を達成するために本発明は、片手で握るグリップ部と、前記グリップ部の上端に取り付けられる刃枠部とを備える電気かみそりにおいて、前記グリップ部の外殻は、一方の端が上部開口、他方の端が底部開口となった筒形ケースと、前記上部開口に嵌合する上蓋と、前記底部開口に嵌合する底蓋と、前記筒形ケース外面に重ねられる化粧板を含み、前記底蓋の端面には前記刃枠部側に向いた環状溝が形成され、前記筒形ケースと前記化粧板の端面には、それぞれ前記環状溝に係合するリブが形成されており、前記筒形ケースの縁と前記底蓋の縁の間隙と、前記化粧板の縁と前記底蓋の縁の間隙は、互いに異なる幅に設定されていることを特徴としている。
【０００７】
筒形ケースの縁と底蓋の縁の間隙の幅と、化粧板の縁と底蓋の縁の間隙の幅が同一に設定されていた場合、部品寸法のバラツキのため、隣接する間隙の幅が揃っていないといった状態が生じると、見る者に違和感を与えるが、始めから異なる値に設定されていれば、揃わない状態が当たり前であり、部品寸法のバラツキが目立たなくなる。
【０００８】
また本発明は、上記構成の電気かみそりにおいて、前記化粧板の縁にアールが形成されていることを特徴としている。
【０００９】
アールのない縁同士が並んでいると、少しのずれでも違和感を覚えるものであるが、筒形ケースの縁に並ぶ化粧板の縁にアールを形成したことにより、ずれがもたらす違和感を緩和できる。
【００１０】
また本発明は、上記構成の電気かみそりにおいて、前記化粧板は、前記筒形ケースの外面に形成された軸線方向溝の中にはめ込まれるものであり、前記上蓋には、前記化粧板の上端が当たる位置決め部が形成されていることを特徴としている。
【００１１】
この構成によると、化粧板が軸線方向に位置決めされるから、化粧板の縁と底蓋の縁との間隙のバラツキを小さくすることができる。
【００１２】
また本発明は、上記構成の電気かみそりにおいて、前記刃枠部は前記グリップ部に対し前傾可能に取り付けられており、前記上蓋には、前記刃枠から正面側に露出する斜面部が形成されるとともに、この斜面部は、最大前傾時の前記刃枠部前面に対し所定角度をなすことを特徴としている。
【００１３】
この構成によると、正面側に露出する上蓋の斜面部をデザイン上のアクセントにできる。また、刃枠部を前傾させるとき、誤って上蓋と刃枠部との間に指先を挟んだとしても、刃枠部前面と上蓋斜面部のなす角度の間から指先を逃がすことができ、指先を傷めることがない。
【００１４】
また本発明は、上記構成の電気かみそりにおいて、前記化粧板は、前記筒形ケースの外面に形成された軸線方向溝の中にはめ込まれるものであり、前記軸線方向溝の内部には定格表示用の台座が形成されており、前記化粧板には前記台座を露出させる窓が形成されていることを特徴としている。
【００１５】
この構成によると、定格表示用の台座を位置決めとして用い、化粧板の取り付け位置のバラツキを小さくすることができる。
【００１６】
また本発明は、上記構成の電気かみそりにおいて、前記窓の縁が前記台座に被さることを特徴としている。
【００１７】
この構成によると、台座の周囲に間隙が見えなくなり、電気かみそりの外観が向上する。
【００１８】
また本発明は、上記構成の電気かみそりにおいて、前記台座に、前記筒形ケースの内部空間と外部空間を連通させる通気口が形成されていることを特徴としている。
【００１９】
この構成によると、完成品出荷前の防水検査の際に必要となる、通気口を塞ぐ作業を簡単且つ確実に行える。
【００２０】
また本発明は、上記構成の電気かみそりにおいて、前記底蓋は、前記筒形ケース内で電池収容空間とそれ以外の空間を区画するインナーケースにねじ止めされるものであり、前記底蓋と前記インナーケースの間に挟み込まれるパッキンには、前記インナーケースに押し付けられるアキシャルシール部と、前記筒形ケース内面に押し付けられるラジアルシール部が形成されていることを特徴としている。
【００２１】
この構成によると、インナーケースと筒形ケースの２部品に対し、単一のパッキンでシールを行うことができる。またインナーケースにパッキンが加える圧力と筒形ケースにパッキンが加える圧力は方向が違うから、互いを阻害し合うことがなく、各々のシールの目的を十分に達成できる。また、圧力方向を変えることで、ケースに加わる応力を従来より小さくすることができ、応力によるケースの割れや変形を防止することができる。
【００２２】
また本発明は、上記構成の電気かみそりにおいて、前記底蓋は、前記環状溝より内側に立ち上がり壁を有し、前記立ち上がり壁外面と前記筒形ケース内面の間には、前記筒形ケースの長手方向に延びる凹凸係合部が形成されていることを特徴としている。
【００２３】
この構成によると、底蓋の回転方向及び前後・左右方向のガタツキを容易に調整することができる。
【発明の効果】
【００２４】
本発明によると、筒形ケースの縁と底蓋の縁の間隙と、化粧板の縁と底蓋の縁の間隙を敢えて異なる幅に設定したことにより、部品間の寸法のバラツキが目立たなくなり、美観が向上する。
【図面の簡単な説明】
【００２５】
【図１】本発明の実施形態に係る電気かみそりの斜視図である。
【図２】上記電気かみそりの側面図である。
【図３】上記電気かみそりのグリップ部構成部品の分解斜視図である。
【図４】上記電気かみそりの他のグリップ部構成部品を示す分解斜視図である。
【図５】上記電気かみそりのグリップ部の垂直断面図である。
【図６】図５の部分拡大図である。
【図７】上記電気かみそりの背面図である。
【図８】上記電気かみそりの部分拡大断面図である。
【図９】底蓋の斜視図である。
【図１０】パッキンの斜視図である。
【図１１】グリップ部筒形ケースの底部開口の斜視図である。
【図１２】グリップ部筒形ケースの底部開口に底蓋を取り付けた状態の斜視図である。
【発明を実施するための形態】
【００２６】
図１に示す電気かみそり１はいわゆる振動式電気かみそりであり、片手で握るグリップ部１０の上端に刃枠部２０が角度可変に取り付けられている。図５に示すように、グリップ部１０はモータ１１（図５参照）と二次電池１２（図１１参照）を内蔵し、正面にはモータ１１のＯＮ／ＯＦＦスイッチ１３とその操作つまみ１４が設けられている。グリップ部１０の下端には充電コード（図示せず）のプラグを接続するソケット部１５が設けられている。
【００２７】
刃枠部２０は、グリップ部１０の上端に左右向かい合わせで形成された１対の支持部１６の間に、垂直面内で角度を変えることができるように取り付けられている。すなわち刃枠部２０は、２連式の外刃２１がほぼ横を向く角度（図１及び図２に示す角度）と、それよりも少し上向きの角度と、それよりもさらに上向きの角度の３段階に角度を変えることができる。いずれの角度においても、モータ１１の軸端に固定された偏心軸１７と刃枠部２０内の内刃（図示せず）との連結が保たれるようになっている。
【００２８】
電気かみそり１を完全な組み立て状態に置き、操作つまみ１４をＯＮの位置にスライドさせると、二次電池１２からの電力でモータ１１が駆動される。モータ１１の軸が回転すると偏心軸１７も回転する。偏心軸１７の回転は刃枠部３０の内部の図示しない内刃の振動に転換され、外刃２１に接触しつつ内刃が振動するので、ひげそりが可能になる。
【００２９】
グリップ部１０の中心的な構成部品は筒形ケース３０である。筒形ケース３０は一端に上部開口３１（図３参照）、他端に底部開口３２（図４参照）を有し、上部開口３１の縁から上方に支持部１６が延び出している。上部開口３１には上蓋３３が嵌合し、底部開口３２には底蓋３４が嵌合する。
【００３０】
筒形ケース３０の内部にはインナーケース３５が挿入され、固定される。インナーケース３５はモータ１１と二次電池１２を上下に直列に並べた形で保持する。二次電池１２を保持する部分は、底部開口３２に向き合う部分のみが開口となった電池室３６として構成されている。
【００３１】
上蓋３３は２本のビス３７により筒形ケース３０に固定される。ビス３７は、上蓋３３と、筒形ケース３０に形成したねじ通し穴３０ａを突き抜けてインナーケース３５の図示しないネジボスにねじ込まれるものであり、上蓋３３と同時にインナーケース３５も筒形ケース３０に対し固定されることになる。
【００３２】
図１に示すように、グリップ部１０の正面には上蓋３３の一部が三日月形に露出する。上蓋３３の色を、それ以外のグリップ部構成部品の色と変えておけば、その三日月形の露出部をデザイン上のアクセントにできる。この上蓋３３の露出部は斜面部となっており、その斜面角度は、最大前傾時の刃枠部２０前面に対し所定の角度をなすように設定されている。このため、刃枠部２０を前傾させるとき、誤って上蓋３３と刃枠部２０との間に指先を挟んだとしても、刃枠部２０前面と上蓋３３の斜面部のなす角度の間から指先を逃がすことができ、指先を傷めることがない。指先が逃げやすくするため、前記所定の角度を鈍角としておくとよい。
【００３３】
筒形ケース３０の正面と背面には化粧板４０、４１が重ねられ、固定される。筒形ケース３０の正面と背面には、化粧板４０、４１をはめ込む軸線方向溝４２、４３が形成される。
【００３４】
化粧板４０はＯＮ／ＯＦＦスイッチ１３の操作つまみ１４を受け入れる溝４４を有し、操作つまみ１４は溝４４の中で上下する。操作つまみ１４の中央部には、それを押した時のみ操作つまみ１４のスライドを可能にするロックボタン４５が設けられている。
【００３５】
化粧板４０には、操作つまみ１４より下の位置に、電気かみそり１の充電状態を示すランプ４６が設けられる。ランプ４６は、化粧板４０の裏側に配置された透明合成樹脂製導光板４７に形成された円形突部を化粧板４０の表側に露出させたものであって、図示しない発光ダイオードが導光板４７に光を照射することにより光を放つ。
【００３６】
化粧板４０は、上蓋３３に形成された突起状の位置決め部４８（図５参照）に上端が当たることにより位置決めされる。このように化粧板４０を軸線方向に位置決めすることにより、化粧板４０の下側の縁と、底蓋３４の縁との間隙（この間隙の持つ意味は後で説明する）のバラツキを小さくすることができる。
【００３７】
化粧板４１がはめ込まれる軸線方向溝４３の中には定格表示用の台座４９が形成されている。台座４９は矩形であり、そこに、ラベルの貼り付け、直接印刷、刻印などの手法で定格を表示する。
【００３８】
化粧板４１には台座４９を露出させる窓５０が形成されている。窓５０は台座４９にぴったり嵌合するものであり、台座４９は化粧板４１に対する位置決めの働きをする。これにより、化粧板４１の取り付け位置のバラツキを小さくすることができる。
【００３９】
図８に示すように、窓５０の縁には内側に張り出す張り出し部５１が形成され、この部分が台座４９に被さっている。このため、台座４９の周囲に間隙が見えなくなり、電気かみそり１の外観が向上する。
【００４０】
台座４９の中央には、筒形ケース３０の内部空間と外部空間を連通させ、内外の気圧を均衡させる通気口５２が形成される。通気口５２は、気体は通すが液体は通さない防滴膜５３（図６参照）で閉ざされる。
【００４１】
電気かみそり１は、完成品として出荷される前に、グリップ部１０の防水性を確認するための防水検査にかけられる。防水検査は、密閉容器の中に電気かみそり１を入れ、密閉容器内の気圧を高めるという形で行われる。グリップ部１０の防水機能が設計通りであれば、グリップ部１０に密閉容器内の空気は侵入できず、密閉容器内の気圧は高いままである。グリップ部１０に防水の不完全な箇所が存在すれば、そこからグリップ部１０内に密閉容器内の空気が侵入し、密閉容器内の気圧が下がる。そこで、密閉容器に空気を送り込みつつ、密閉容器内の気圧をチェックすることにより、グリップ部１０の防水性能を検査することができる。
【００４２】
上記のような防水検査を行うにあたっては、通気口５２を一時的に塞ぐことが必要になる。それには、ジェル状やパテ状の物質であって、防水検査終了後、残渣を生じることなくきれいに剥がせる閉塞物質を用いるのであるが、通気口５２が設けられているのがグリップ部１０の背面の定格表示用台座４９であることにより、通気口５２に閉塞物質を塗りつけたり、剥がしたりする作業を簡単且つ確実に行うことができる。
【００４３】
図９に示すように、底蓋３４の端面には、刃枠部２０側に向いた環状溝５４が形成される。これに対応して、筒状ケース３０の、化粧板４０、４１が存在しない部分の端面と、化粧板４０、４１の端面には、図１１に最も良く見られるように、環状溝５４に嵌合するリブ５５、５６、５７が形成されている。リブ５５、５６、５７は、集合して１個の環状リブを形成する。
【００４４】
底蓋３４は、それを貫通してインナーケース３５のネジボス３５ａにねじ込まれる２本のビス５８により筒形ケース３０に固定される。この時、底蓋３４とインナーケース３５の間にパッキン５９が挟み込まれる。
【００４５】
図６に示すように、底蓋３４の環状溝５４よりも内側の箇所が筒形ケース３０の端面に当たって位置決めされるので、ビス５８を所定トルクで締め付けても、筒形ケース３０の縁と底蓋３４の縁、また化粧板４０、４１の縁と底蓋３４の縁は密着しない。筒形ケース３０の縁と底蓋３４の縁の間には、所定の値に設定された間隙６０が生じ、化粧板４０、４１の縁と底蓋３４の縁の間にも、所定の値に設定された間隙６１が生じる。そして、間隙６０と間隙６１は互いに異なる幅に設定される。例えば、間隙６０の幅は０．５mmとされ、間隙６１の幅は０．２mmとされる。この時、リブ５５、５６、５７の端面と環状溝５４の底面の間には、例えば０．４mmから０．５mmの間隙が生じている。
【００４６】
間隙６０と間隙６１の幅が同一に設定されていた場合、部品寸法のバラツキのため、隣接する間隙６０、６１の幅が揃っていないといった状態が生じると、見る者に違和感を与えるが、始めから異なる値に設定されていれば、揃わない状態が当たり前であり、部品寸法のバラツキが目立たなくなる。
【００４７】
部品寸法のバラツキを目立たなくするため、もう一つ工夫がなされる。それは、化粧板４０、４１の縁に形成されたアール６２（図６参照）である。アールのない縁同士が並んでいると、少しのずれでも違和感を覚えるものであるが、筒形ケース３０の縁に並ぶ化粧板４０、４１の縁にアール６２を形成したことにより、ずれがもたらす違和感を緩和できる。
【００４８】
図１０に示す通り、パッキン５９は大リング部６３の内側に２個の小リング部６４を形成した形状である。大リング部６３はインナーケース３５の端面外周部に対面し、小リング部６４はビス５８をねじ込むためインナーケース３５に形成したネジボス３５ａの端面に対面する。大リング部６３と小リング部６４には、インナーケース５３とネジボス３５ａに対面する側に環状のリブ６５、６６が形成されている。大リング部６３には、外周にも環状のリブ６７が形成されている。リブ６５、６６はインナーケース３５とネジボス３５ａの端面に押し付けられるアキシャルシール部を構成し、リブ６７は筒形ケース３０の内面に押し付けられるラジアルシール部を構成する。底蓋３４には、環状溝５４より内側に環状の立ち上がり壁６８が形成されており、その端面に、パッキン５９を取り付ける環状リブ６９が形成されている。
【００４９】
パッキン５９を取り付けた状態の底蓋３４を筒形ケース３０の底部開口３２に嵌合し、ビス５８を底蓋３４に通してネジボス３５ａにねじ込むと、パッキン５９はインナーケース３５と底蓋３４の間で圧迫される。前述の通り、底蓋３４は環状溝５４よりも内側の箇所が筒形ケース３０の端面に当たって位置決めされるのであるが、この時パッキン５９には、リブ６５、６６がつぶれる程度の圧縮力が加わっており、リブ６５、６６がアキシャルシール部として機能している。このようなアキシャルシール部の存在により、二次電池１２からガス（水素ガス）が発生したとしても、それが電池室３６から漏洩して引火の危険を招くことがない。
【００５０】
また筒形ケース３０の底部開口３２は奥の方ほどすぼまるテーパ状になっていて、そこにパッキン５９が押し込まれる結果、リブ６７がつぶれ、ラジアルシール部として機能する。このようなラジアルシール部の存在により、筒形ケース３０と底蓋３４の間からグリップ部１０内に水が侵入することがない。
【００５１】
このように、インナーケース３５と筒形ケース３０の２部品に対し、単一のパッキン５９でシールを行うから、Ｏリングを何個も使用する必要がない。またパッキン５９は筒形ケース３０の断面形状に合わせた形に成型できるから、Ｏリングに比べ圧縮代を大きくとることができ、筒形ケース３０をはじめとする樹脂成型部品の寸法のバラツキを吸収しやすい上、複数のＯリングを用いるのに比べ、シール部のスペースを小さく抑えることができる。さらに、インナーケース３５にパッキン５９が加える圧力と筒形ケース３０にパッキン５９が加える圧力は方向が違うから、互いを阻害し合うことがなく、各々のシールの目的を十分に達成できる。
【００５２】
立ち上がり壁６８の外面と、筒形ケース３０の内面の間には、筒形ケース３０の長手方向に延びる凹凸係合部７０が形成されている。凹凸係合部７０を構成するのは、立ち上がり壁６８側に形成されたリブ７１（図９参照）と、筒形ケース３０側に形成された溝７２（図１１参照）である。リブ７１は互いに間隔を置いて形成された２個のものを１組として、底蓋３４の正面側と背面側に配置され、溝７２は、２個のリブ７１を受け入れられる幅のものが筒形ケース３０の正面側と背面側に形成されている。
【００５３】
凹凸係合部７０において、リブ７１と溝７２は平面同士を合わせる形で係合するから、
底蓋３４の回転方向及び前後・左右方向のガタツキを容易に調整することができる。また、筒形ケース３０に対する底蓋３４の固定が確実になり、落下や振動に強い構造となる。
さらに、正面側と背面側とで凹凸係合部７０の構造を変えておけば、例えばリブ７１同士の間隔やリブの高さを変えておけば、底蓋３４を前後間違えることなく筒形ケース３０に嵌合させることができる。
【００５４】
凹凸係合部７０は、図に示した構造に限定される訳ではない。底蓋３４側が溝、筒形ケース３０側がリブであっても構わない。
【００５５】
電気かみそり１は、底蓋３４を下にして立てて置かれることがある。底蓋３４の下面が平坦で、立てやすい構造になっていると、使用者のそのような行動を招きやすい。しかしながら立った状態の電気かみそり１は不安定であり、容易に倒れる。この時、外刃２１が向いている方向に倒れると、外刃２１が破損するおそれがある。
【００５６】
このような問題に対処するため、次のような方法が考えられる。第１に、底蓋３４の下面を平坦でなくし、使用者が電気かみそり１を立てる気を起こさないようにする。第２に、もし倒れたとしても、外刃２１が向いている方向には倒れないようにする。このような要請に応え得る底蓋３４の構造例を図１２に示す。図１２では、底蓋３４下面に２個の半球状突起７３を形成し、平坦でなくしている。また突起７３は底蓋３４の中心よりも正面寄りに偏った位置にあるから、電気かみそり１は、倒れるときには背面側に倒れることになる。このため、外刃２１をテーブルに打ち当てて破損させるといったことがない。
【００５７】
以上、本発明の実施形態につき説明したが、本発明の範囲はこれに限定されるものではなく、発明の主旨を逸脱しない範囲で種々の変更を加えて実施することができる。
【産業上の利用可能性】
【００５８】
本発明は、電気かみそりに広く利用可能である。
【符号の説明】
【００５９】
１    電気かみそり
１０  グリップ部
１１  モータ
１２  二次電池
２０  刃枠部
２１  外刃
３０  筒形ケース
３１  上部開口
３２  底部開口
３３  上蓋
３４  底蓋
４０、４１  化粧板
４２、４３  軸線方向溝
４８  位置決め部
４９  台座
５０  窓
５１  張り出し部
５２  通気口
５４  環状溝
５５、５６、５７  リブ
５９  パッキン
６０、６１  間隙
６８  立ち上がり壁
７０  凹凸係合部
【図１】
2011024700.tif 000003
【図２】
2011024700.tif 000004
【図３】
2011024700.tif 000005
【図４】
2011024700.tif 000006
【図５】
2011024700.tif 000007
【図６】
2011024700.tif 000008
【図７】
2011024700.tif 000009
【図８】
2011024700.tif 000010
【図９】
2011024700.tif 000011
【図１０】
2011024700.tif 000012
【図１１】
2011024700.tif 000013
【図１２】
2011024700.tif 000014